(57)【要約】【課題】動作時における着用物の変位を測定することにより、着用物の身体への追従性やはき心地を評価する方法を提供すること。【解決手段】着用物の表面における１または複数の位置における変位を測定する変位測定方法であって、複数の撮像装置としてのカメラ１１、１２により着用物としての使い捨ておむつ２の表面における１または複数の位置を含む領域を連続的に撮像し、複数の撮像装置としてのカメラ１１、１２により撮像された画像情報から１または複数の位置における２次元座標情報を得ると共に、２次元座標情報に基づいて実空間における３次元座標情報を算出し、算出された３次元座標情報から１または複数の位置における所定方向への変位を算出する。【選択図】図１
2008175575.tif 000002
【特許請求の範囲】
【請求項１】
着用物の表面における１または複数の位置における変位を測定する変位測定方法であって、
複数の撮像装置により前記着用物の表面における前記１または複数の位置を含む領域を連続的に撮像し、
前記複数の撮像装置により撮像された画像情報から前記１または複数の位置における２次元座標情報を得ると共に、前記２次元座標情報に基づいて実空間における３次元座標情報を算出し、
前記算出された前記３次元座標情報から前記１または複数の位置における所定方向への変位を算出する変位測定方法。
【請求項２】
前記１または複数の位置にはマーカーが配置され、
前記複数の撮像装置は、前記着用物の表面における前記１または複数のマーカーを含む領域を連続的に撮像する請求項１に記載の変位測定方法。
【請求項３】
前記マーカーは、一辺の長さが８〜１０ｍｍの正方形または、８〜１０ｍｍの径の円形である請求項２に記載の変位測定方法。
【請求項４】
前記マーカーを前記複数の位置に配置する場合、２〜３ｃｍの間隔で前記マーカーを配置する請求項２または３に記載の変位測定方法。
【請求項５】
請求項１から４のいずれかに記載の方法により測定された前記１または複数の位置における変位の大きさを表示する表示方法であって、
前記着用物の表面における前記１または複数の位置を含む領域を表示すると共に、
前記１または複数の領域における表示態様を、前記測定された変位の大きさに応じて変える表示方法。
【請求項６】
装着時における着用物の追従性を評価する方法であって、
複数の撮像装置により前記着用物の表面における前記１または複数の位置を含む領域を連続的に撮像し、
前記複数の撮像装置により撮像された画像情報から前記１または複数の位置における２次元座標情報を得ると共に、前記第２次元座標情報に基づいて実空間における３次元座標情報を算出し、
前記算出された前記３次元座標情報から前記１または複数の位置における所定方向への変位を算出し、
前記変位の大きさと、予め測定された身体または評価用ドールの肌面における変位の大きさとにより、前記着用物の追従性を評価する方法。
【請求項７】
装着時における着用物のはき心地を評価する方法であって、
複数の撮像装置により前記着用物の表面における前記１または複数の位置を含む領域を連続的に撮像し、
前記複数の撮像装置により撮像された画像情報から前記１または複数の位置における２次元座標情報を得ると共に、前記第２次元座標情報に基づいて実空間における３次元座標情報を算出し、
前記算出された前記３次元座標情報から前記１または複数の位置における所定方向への変位を算出し、
前記変位の大きさと、予め測定された身体または評価用ドールの肌面における変位の大きさとにより、前記着用物のはき心地を評価する方法。
【請求項８】
はき心地の主観評価と、前記変位の大きさと身体または評価用ドールの肌面における変位の大きさとの変位差とを対応させたデータベースに基づいて、前記着用物のはき心地を評価する請求項７に記載の方法。
【発明の詳細な説明】
【技術分野】
【０００１】
本発明は、着用物の表面における変位を測定する方法、変位の大きさを表示する方法、装着時における追従性を評価する方法およびはき心地を評価する方法に関する。
【背景技術】
【０００２】
身体を覆う着用物は、身体に自然にフィットしてはき心地に優れることが求められている。
【０００３】
着用物の中でも、例えば使い捨ておむつは、排泄物を漏らさないようにするために追従性を有していることが要求される。また、上述のように着用者にとってはき心地がよいことも要求される。
【０００４】
このため、例えば特許文献１では、前腹部材と後背部材にはウエスト用弾性部材が伸張状態で添設されると共に、少なくとも脚穴部の前縁部と後縁部とに沿って脚周り用弾性部材が伸張状態で添設されて、この前縁部の複数本の前脚周り用弾性部材が、前縁部からウエスト用弾性部材の方向に向かって収縮力が順次に弱くなるように設定することで、着用者の股部と脚周りの追従性を向上させ、横漏れを効果的に防止しようとするパンツ型おむつが開示されている。
【特許文献１】特開２００５−２７８３９号公報
【発明の開示】
【発明が解決しようとする課題】
【０００５】
特許文献１に記載のパンツ型おむつは、人体の部位に合わせて異なる応力の伸縮部材を配置しており、足の動きや諸動作の結果として生じるずり落ちや横漏れを防ぐことはできる。しかし、実際に着用者の動作時における違和感を抑制することや、はき心地を向上させるには至らないという課題があった。
【０００６】
本発明は、上述した課題を解決するためになされたものであり、動作時における着用物の変位を測定することにより、着用物の身体への追従性やはき心地を評価する方法（およびシステム）を提供することを目的とする。
【課題を解決するための手段】
【０００７】
本発明者らは、上記課題を解決するために鋭意検討を重ねた結果、着用物の表面の１または複数の所定位置の変位を測定することにより、着用者の動作時における着用物の変位を容易に測定できることを見出し、本発明を完成するに至った。より具体的には、本発明は以下のようなものを提供する。
【０００８】
（１）  着用物の表面における１または複数の位置における変位を測定する変位測定方法であって、複数の撮像装置により前記着用物の表面における前記１または複数の位置を含む領域を連続的に撮像し、前記複数の撮像装置により撮像された画像情報から前記１または複数の位置における２次元座標情報を得ると共に、前記２次元座標情報に基づいて実空間における３次元座標情報を算出し、前記算出された前記３次元座標情報から前記１または複数の位置における所定方向への変位を算出する変位測定方法。
【０００９】
（２）  前記１または複数の位置にはマーカーが配置され、前記複数の撮像装置は、前記着用物の表面における前記１または複数のマーカーを含む領域を連続的に撮像する（１）に記載の変位測定方法。
【００１０】
（３）  前記マーカーは、一辺の長さが８〜１０ｍｍの正方形または、８〜１０ｍｍの径の円形である（２）に記載の変位測定方法。
【００１１】
（４）  前記マーカーを前記複数の位置に配置する場合、２〜３ｃｍの間隔で前記マーカーを配置する（２）または（３）に記載の変位測定方法。
【００１２】
（５）  （１）から（４）のいずれかに記載の方法により測定された前記１または複数の位置における変位の大きさを表示する表示方法であって、前記着用物の表面における前記１または複数の位置を含む領域を表示すると共に、前記１または複数の領域における表示態様を、前記測定された変位の大きさに応じて変える表示方法。
【００１３】
（６）  装着時における着用物の追従性を評価する方法であって、複数の撮像装置により前記着用物の表面における前記１または複数の位置を含む領域を連続的に撮像し、前記複数の撮像装置により撮像された画像情報から前記１または複数の位置における２次元座標情報を得ると共に、前記第２次元座標情報に基づいて実空間における３次元座標情報を算出し、前記算出された前記３次元座標情報から前記１または複数の位置における所定方向への変位を算出し、前記変位の大きさと、予め測定された身体または評価用ドールの肌面における変位の大きさとにより前記着用物の追従性を評価する方法。
【００１４】
（７）  装着時における着用物のはき心地を評価する方法であって、複数の撮像装置により前記着用物の表面における前記１または複数の位置を含む領域を連続的に撮像し、前記複数の撮像装置により撮像された画像情報から前記１または複数の位置における２次元座標情報を得ると共に、前記第２次元座標情報に基づいて実空間における３次元座標情報を算出し、前記算出された前記３次元座標情報から前記１または複数の位置における所定方向への変位を算出し、前記変位の大きさと、予め測定された身体または評価用ドールの肌面における変位の大きさとにより前記着用物のはき心地を評価する方法。
【００１５】
（８）  はき心地の主観評価と、前記変位の大きさと身体または評価用ドールの肌面における変位の大きさとの変位差とを対応させたデータベースに基づいて、前記着用物のはき心地を評価する（７）に記載の方法。
【発明の効果】
【００１６】
本発明によれば、動作時における着用物の変位を測定することによって、着用物の追従性やはき心地を評価することができる。
【発明を実施するための最良の形態】
【００１７】
以下、本発明の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略するが、発明の趣旨を限定するものではない。なお、説明の便宜上、着用物が使い捨ておむつの場合について説明するが、着用物はこれに限定されるものではない。
【００１８】
以下の実施形態において、使い捨ておむつのうち装着者の身体に向けられる側を肌当接面側とし、肌当接面側と反対側を非肌当接面側とする。
【００１９】
［概要］
本発明は、着用物の表面における１または複数の位置における変位を測定する変位測定方法であって、複数の撮像装置により着用物の表面における１または複数の位置を含む領域を連続的に撮像し、複数の撮像装置により撮像された画像情報から１または複数の位置における２次元座標情報を得ると共に、２次元座標情報に基づいて実空間における３次元座標情報を算出し、算出された３次元座標情報から１または複数の位置における所定方向への変位を算出することを特徴とする。
【００２０】
また、上述した変位測定方法により測定された１または複数の位置における変位の大きさを表示する表示方法であって、着用物の表面における１または複数の位置を含む領域を表示すると共に、１または複数の領域における表示態様を、測定された変位の大きさに応じて変えることを特徴とする。
【００２１】
本発明は、装着時における着用物の追従性を評価する方法であって、複数の撮像装置により着用物の表面における１または複数の位置を含む領域を連続的に撮像し、複数の撮像装置により撮像された画像情報から１または複数の位置における２次元座標情報を得ると共に、第２次元座標情報に基づいて実空間における３次元座標情報を算出し、算出された３次元座標情報から１または複数の位置における所定方向への変位を算出し、変位の大きさと、予め測定された身体または評価用ドールの肌面における変位の大きさとにより、着用物の追従性を評価することを特徴とする。
【００２２】
本発明は、装着時における着用物のはき心地を評価する方法であって、複数の撮像装置により着用物の表面における１または複数の位置を含む領域を連続的に撮像し、複数の撮像装置により撮像された画像情報から１または複数の位置における２次元座標情報を得ると共に、第２次元座標情報に基づいて実空間における３次元座標情報を算出し、算出された３次元座標情報から１または複数の位置における所定方向への変位を算出し、変位の大きさと、予め測定された身体または評価用ドールの肌面における変位の大きさとにより、着用物のはき心地を評価することを特徴とする。
【００２３】
［変位の測定］
着用物の表面における１または複数の位置における変位は、ＤＬＴ法により測定することができる。具体的には、着用物の表面における１または複数の位置を任意の２方向から連続的に撮像し、その撮像された画像データから２次元座標情報を得ると共に、三角測量の原理に基づき１または複数の位置における変位３次元座標を得る方法である。図１は、使い捨ておむつ２の後身頃を第１のカメラ１１および第２のカメラ１２により撮像する状態を説明する平面図である。図１に示すように、まず、第１のカメラ１１と第２のカメラ１２の位置を固定する。第１のカメラ１１および第２のカメラ１２の位置を固定することによって、各カメラ１１、１２の３次元座標を固定する。
【００２４】
第１のカメラ１１および第２のカメラ１２は、使い捨ておむつ２における測定面である後身頃の表面と同じ側に配置される。図１に示すように、使い捨ておむつ２に配置している複数のマーカー３は、使い捨ておむつ２に対して異なる角度で配置された２つのカメラ１１、１２により連続的に撮像される。この２つのカメラ１１、１２の撮像軸と、マーカー３とカメラ１１、１２とを結んだ線とのなす角度である入射角やマーカー３までの距離等に基づいて、マーカー３の２次元座標情報を得ることができる。
【００２５】
図３に示すように、マーカー３は、使い捨ておむつ２の表面に規則的に配置される。マーカー３の大きさは、着用物の大きさ等に応じて適宜変更することができるが、例えば、８〜１０ｍｍの径の円または一辺の長さが８〜１０ｍｍの正方形であることが好ましい。マーカー３の大きさが８ｍｍ未満であると、各カメラによってマーカー３の変位を連続的に撮像することが困難となる場合がある。一方、マーカー３の大きさが１０ｍｍを超えると、マーカー３の変位を測定する幅が大きくなりすぎ、マーカー３の変位を正確に測定することが困難となる場合がある。
【００２６】
また、マーカー３を配置（貼付）する間隔は、着用物の大きさ等に応じて適宜変更することができるが、例えば、２〜３ｃｍであることが好ましい。マーカー３の間隔が２ｃｍ未満であると、マーカー３の変位によってはマーカー３同士が重なり合ってしまい、マーカー３の変位を正確に測定することが困難となる場合がある。一方、マーカー３の間隔が３ｃｍを超えると、着用物全体の変位を測定することが困難となる場合がある。
【００２７】
変位の測定は、まず、使い捨ておむつ２を装着した評価用ドール１０に歩行動作を行わせ、固定された第１のカメラ１１および第２のカメラ１２により使い捨ておむつ２に配置されているマーカー３を含む領域を連続的に撮像する。次いで、第１のカメラ１１および第２のカメラ１２により連続的に撮像されたマーカー３の画像情報それぞれから、マーカー３の２次元座標情報を得る。そして、この２次元座標情報をもとにマーカー３の実空間における３次元座標情報を算出する。例えば、２次元座標、３次元座標を算出する方法は、公知の種々の算出方法により算出することができるが、例えば、運動解析システムを用いて、画像をパソコン等に取り込み、運動解析システムのＤＬＴ法によって、各マーカーの２次元座標情報および３次元座標情報を得ることができる。
【００２８】
さらに、このマーカー３の３次元座標情報からマーカー３における変位を算出する。本実施形態においては、水平幅方向であるＸ方向、垂直方向であるＹ方向、水平奥行き方向であるＺ方向それぞれにおける変位を算出する。
【００２９】
なお、図１および図２では、第１のカメラ１１および第２のカメラ１２の２台のカメラで撮像しているが、２台より多いカメラで撮像してもよい。また、必要に応じて、カメラから検出したマーカー３の位置を３次元座標化するために、計測空間内に既知実空間座標をもつ点（コントロールポイント）を置き、キャリブレーションを行う必要がある。
【００３０】
［変位の表示］
上述した方法により測定されたマーカー３における変位の大きさは、画像により容易に認識できるよう表示することができる。具体的には、図４から図６に示すように、各マーカー３それぞれにおけるＺ方向の最大変位に応じてマーカー３の表示態様を変えることができる。つまり、Ｚ方向の最大変位に応じて、マーカー３の模様を変えることができる。ここで、マーカー３の模様を変えるほか、変位の大きさに応じてマーカー３それぞれの色を変えることもできる。
【００３１】
［追従性の評価］
着用物の身体追従性は、図３および図４に示す肌表面を想定した肌想定ショーツ２ａにおいて上述した方法により測定された各マーカー３の１または複数方向への所定の動作に伴う最大変位と、測定対象の使い捨ておむつ２における各マーカー３の１または複数方向への所定の動きに伴う最大変位とを比較することで評価される。具体的には、使い捨ておむつ２における各マーカー３の１または複数方向への所定の動作に伴う最大変位と、肌想定ショーツ２ａにおける各マーカー３の１または複数方向への所定の動作に伴う最大変位との変位差が小さい場合には追従性がよいと評価される。逆に、使い捨ておむつ２における各マーカー３の１または複数方向への最大変位と、肌想定ショーツ２ａにおける各マーカー３の１または複数方向への最大変位との変位差が大きい場合には追従性が悪いと評価される。なお、本明細書において、評価用ドールの肌面は、肌表面を想定した肌想定ショーツ２ａを装着している場合における肌想定ショーツ２ａの表面を含むものとする。
【００３２】
ここで、例えば、図５に示される使い捨ておむつ２Ａの各マーカー３におけるＺ方向への最大変位の態様は、図６における使い捨ておむつ２Ｂの各マーカー３におけるＺ方向への最大変位の態様よりも、図４に示すショーツ２ａの各マーカー３におけるＺ方向への最大変位の態様に近い。つまり、各マーカー３における最大変位の差が小さいので、図５に示す使い捨ておむつ２Ａの方が、図６に示す使い捨ておむつ２Ｂよりも動作時における身体への追従性がよいことがわかる。
【００３３】
［はき心地の評価］
【００３４】
一般に、着用物の身体への追従性と着用物のはき心地とは相関がある。つまり、着用物としての使い捨ておむつ２における各マーカー３の１または複数方向への最大変位と、肌想定ショーツ２ａの各マーカー３における１または複数方向への最大変位との変位差は、はき心地と相関がある。以下のようにして、変位差により使い捨ておむつ２のはき心地の評価をすることができる。
【００３５】
はき心地の主観評価と上述の変位差との相関に基づいて、新たに測定された使い捨ておむつ２における最大変位から算出される変位差により、はき心地の評価をすることができる。具体的には、はき心地の主観評価と変位差とを対応させたデータベースに基づいて、使い捨ておむつ２におけるはき心地を評価することができる。
【００３６】
つまり、まず、予め測定された変位により算出される上述の変位差と、予め得られた主観評価とを対応させたデータベースを構築し、次いで、構築されたデータベースにおいて新たに測定された変位により算出される変位差に対応する評価を抽出することで、はき心地の評価をすることができる。
【００３７】
ここで、上述の変位差と、はき心地の主観評価との相関性は、例えばピアソンの相関係数によって求めることができる。ピアソン相関係数（ｒ）は、−１と＋１との間の実数値で示され、絶対値の大きさが１に近いと相関関係が強いことを示し、０に近いと相関関係がない。したがって、−１である場合は反比例関係であり、＋１である場合には正比例関係を意味する。
【００３８】
上述のように変位差とはき心地の主観評価との相関性を求めることにより、はき心地との相関が高い部位を特定することができる。使い捨ておむつ２においては、臀部を覆うように配置される領域の変位差が、はき心地と相関が高い部位である。つまり、この部位の変位を測定して変位差を算出することで、はき心地を高精度に評価することができる。
【００３９】
ここで、はき心地は、様々な主観テストによって得ることができ、例えば、ＳＤ法や一対比較法等によって得ることができる。
【００４０】
ＳＤ（Ｓｅｍａｎｔｉｃ  Ｄｉｆｆｅｒｅｎｔｉａｌ）法とは、意味微分法により相反する形容詞対を多数用いて刺激を評価することにより、人がその刺激に対して「どのように感じるか」といった情緒的な印象を明らかにする統計的方法である。得られたデータを因子分析することで、被験者が評価した印象に対して、何を基準にそのような印象評価がなされたのか、という潜在的な判断要因を抽出することができる。また、各被験者がそれぞれの因子をどの程度強く持っていたかを点数化し、それをクラスタ分析や回帰分析等目的に応じて解析していくことも可能である。
【００４１】
また、一対比較法とは、各刺激を一対ずつ比較し、順位付けを行なう手法で、自分が設定した尺度について、どちらの刺激がどの程度合致しているのかを知ることができる。
【００４２】
［変位測定システムおよびはき心地評価システム］
図７は、本発明の変位測定システムおよびはき心地評価システムの構成を示したものである。図７に示すように、本実施形態におけるシステムは、着用物としての使い捨ておむつ２が装着された歩行動作が可能な評価用ドール１０と、撮像手段としての第１カメラ１１および第２カメラ１２と、変位を算出する算出手段としてのＣＰＵ４と、記憶手段としてのメモリ６と、ディスプレイ５とを、を備える。
【００４３】
撮像手段として第１のカメラ１１および第２のカメラ１２と、変位を算出する算出手段としてのＣＰＵ４とは、評価用ドール１０に歩行動作をさせた状態で使い捨ておむつ２における表面の１または複数の位置に配置されるマーカー３おける変位を測定する変位測定手段を構成する。
【００４４】
ＣＰＵ４は、第１カメラ１１および第２カメラ１２それぞれにより撮像された画像情報から１または複数のマーカー３それぞれにおける２次元座標情報を算出する。そして、ＣＰＵ４は、算出された２次元座標情報により１または複数のマーカー３における３次元座標情報を算出する。さらに、ＣＰＵ４は、算出された３次元座標情報により１または複数のマーカー３の所定方向（例えば、Ｚ軸方向）における変位を算出する。
【００４５】
また、ＣＰＵ４は、第１出力部４１および第２出力部４２と、入力部４３とを備える。第１出力部４１は、算出された所定方向における変位の情報をディスプレイ５に出力可能に構成される。第２出力部４２は、算出された所定方向における変位の情報や所定の指示情報をメモリ６に出力可能に構成される。入力部４３は、ＣＰＵ４からの指示情報に応じてメモリ６から出力される情報を入力可能に構成される。
【００４６】
ここで、ＣＰＵ４は、該ＣＰＵ４により算出された変位等が上述した画像等の態様で表示されるよう変位の情報をディスプレイ５へ出力可能に構成される。また、後述するデータベース７に基づいて、所定のマーカー２の所定方向における最大変位差に対応したはき心地評価の情報をディスプレイ５へ出力可能に構成される。
【００４７】
メモリ６は、はき心地の主観評価と、予め測定された前記着用物の前記１または複数の位置における変位と評価用ドール１０の肌面における１または複数のマーカー２における変位との変位差と、を対応させたデータベース７を記憶する。データベース７は、例えば、予め測定された最大変位差値と、これに対応するはき心地評価値とが１対１で対応する表である。ここで、新たに所定のマーカー２における最大変位差が測定された場合、データベース７に基づいて、この新たに測定された最大変位差値に対応するはき心地評価値を特定することで、当該使い捨ておむつ２における使用評価を新たに行うことなく、はき心地を評価することができる。
【００４８】
また、メモリ６は、入力部６２と、出力部６３とを備える。メモリ６は、入力部６２から入力される変位の情報を記憶すると共に、該入力部６２から入力される指示情報に応じて所定の情報をＣＰＵ４に出力する。具体的には、メモリ４は、ＣＰＵ４からの指示に基づいて、所定のマーカー２における所定方向（例えば、Ｚ軸方向）の最大変位や、データベース７において該最大変位に対応するはき心地評価を出力する。
【００４９】
ディスプレイ５は、ＣＰＵ４により算出された所定方向におけるマーカー３の変位の測定結果や、データベース７に基づく所定のマーカー２における最大変位に対応するはき心地評価結果を所定の態様で表示可能に構成される。具体的には、上述した画像による態様で、変位の測定結果やはき心地評価を表示することができる。
【００５０】
ここで、本実施形態にけるシステムは、各要素がそれぞれ別体で存在してもよく、また、全てが一体的に構成されていてもよい。
【００５１】
次いで、上述のシステムにおける動作について説明する。まず、第１のカメラ１１および第２のカメラ１２の位置を固定することによって、各カメラ１１、１２の３次元座標を固定する。２つのカメラ１１、１２の撮像軸と、マーカー３と各カメラ１１、１２とを結んだ線とのなす角度である入射角やマーカー３までの距離等に基づいて、マーカー３の変位を測定する。
【００５２】
次いで、使い捨ておむつ２が装着された評価用ドール１０に歩行動作をさせ、この歩行状態において、使い捨ておむつ２に配置される複数のマーカー３を、第１のカメラ１１および第２のカメラ１２により連続的に撮像する。
【００５３】
そして、第１カメラ１１および第２カメラ１２それぞれにより撮像された画像情報に基づいて、ＣＰＵ４により、まず、画像情報から１または複数のマーカー３それぞれにおける２次元座標情報を算出し、次いで、この算出された２次元座標情報により１または複数のマーカー３における３次元座標情報を算出し、さらに、この算出された３次元座標情報により１または複数のマーカー３の所定方向（例えば、Ｚ軸方向）における変位を算出する。
【００５４】
ＣＰＵ４により算出された所定のマーカー３の所定方向における変位の情報は、メモリ６に記憶されると共に、ディスプレイ５に表示される。具体的には、所定のマーカー３における変位は、ディスプレイ５に表示される使い捨ておむつ２における所定マーカー３に対応するマーカーの模様により、その変位の大きさが視認可能に表示される。
【００５５】
更に、ＣＰＵ４は、メモリ６に記憶された所定のマーカー３における変位情報から、該所定のマーカー３における所定方向（例えば、Ｚ軸方向）の最大変位を算出する。そして、ＣＰＵ４は、データベース７に基づいて、算出された所定のマーカー３における所定方向の最大変位に対応するはき心地評価値を特定し、はき心地評価情報としてメモリ６から出力させる。
【００５６】
ＣＰＵ４は、このメモリ６から出力されたはき心地評価情報をディスプレイ５に出力することで、はき心地評価を、上述した変位の表示態様と同様の態様でディスプレイ５に表示させることができる。
【００５７】
ここで、本実施形態におけるシステムは、以下の態様を含むといえる。すなわち、着用物が装着された歩行動作が可能な評価用ドールと、前記評価用ドールに歩行動作をさせた状態で前記着用物における表面の１または複数の位置における変位を測定する変位測定手段と、を備える変位測定システムであって、前記変位測定手段は、複数の撮像手段と、前記複数の撮像手段それぞれにより撮像された画像情報から前記１または複数の位置それぞれにおける２次元座標情報を算出する第１算出手段と、前記第１算出手段により算出された２次元座標情報により前記１または複数の位置における３次元座標情報を算出する第２算出手段と、前記第２算出手段により算出された前記３次元座標情報により所定方向における変位を算出する第３算出手段と、を備える変位測定システムを含むといえる。
【００５８】
また、着用物が装着された歩行動作が可能な評価用ドールと、前記評価用ドールに歩行動作をさせた状態で前記着用物における表面の１または複数の位置における変位を測定する変位測定手段と、前記変位測定手段により測定された変位情報を出力する出力手段と、はき心地の主観評価と、予め測定された前記着用物の前記１または複数の位置における変位と前記評価用ドールの肌面における前記１または複数の位置における変位との変位差と、を対応させたデータベースを記憶する記憶手段と、前記記憶手段に記憶された前記データベースに基づいて、前記変位測定手段により測定された前記着用物の前記１または複数の位置における変位と予め測定された前記評価用ドールの肌面における前記１または複数の位置における変位との変位差に対応するはき心地評価を出力する評価出力手段と、を備える評価システムを含むといえる。
【００５９】
本実施形態における変位測定方法によれば、ＤＬＴ法を利用することで使い捨ておむつ２における表面の１または複数の位置における変位を測定することができる。
【００６０】
また、本実施形態における方法で１または複数の位置における変位（変位差）を測定することで、使い捨ておむつ２における身体への追従性を評価することができる。また、同様に、１または複数の位置における変位（変位差）を測定することで、使い捨ておむつ２におけるはき心地を評価することができる。
【００６１】
また、本実施形態における表示方法によれば、上述の方法で測定された使い捨ておむつ２の表面における１または複数の位置における変位の大きさを容易に認識することができる。また、上述の変位差の大きさも容易に認識することができる。また、変位差と相関する使い捨ておむつ２における追従性やはき心地の評価を視覚により容易に認識することができる。
【００６２】
また、上述の方法で測定された１または複数の位置における変位（変位差）と、はき心地の主観評価との相関性を求めることで、はき心地と相関の高い部位を特定することができる。
【実施例】
【００６３】
以下、本発明の実施例を説明するが、これら実施例は、本発明を好適に説明するための例示に過ぎず、なんら本発明を限定するものではない。
【００６４】
上述した測定方法（ＤＬＴ法）により、２種類の市販されている使い捨ておむつの後身頃の変位をそれぞれ測定し、併せて装着者の肌と使い捨ておむつ本体との追従性、相関性をもとにはき心地を評価した。
【００６５】
カメラを４台用いて、４方向からキャリブレーションを行うとともに、使い捨ておむつを装着させた評価用ドールの後身頃の測定を行った。
【００６６】
また、得られた同期した４つの画像から３次元座標を得るためにデジタイズする際、株式会社ライブラリー社の２／３次元マルチ運動解析システムのソフトを用いた。デジタイズに伴い測定誤差が生じるが、本実施例では、標準誤差が０．１２ｃｍであった。またこの測定誤差を軽減するための処理（フィルター）は行なわなかった。
【００６７】
使い捨ておむつ表面上にマーカーを図３に示すように片面粘着の一辺の長さが１０ｍｍの正方形の反射マーカー（株式会社ライブラリー社製）を２．５ｃｍ間隔で配置した。
【００６８】
ＤＬＴ法により変位を測定後、肌想定ショーツを評価用ドールに着用させ、肌想定ショーツのマーカーの変位を測定した。肌想定ショーツと使い捨ておむつの所定位置の変位の差を求め、追従性を測定し、主観テストにより相関性も求めた。
相関性は、５０歳代後半〜７０歳代の女性の被験者１２名に装着してもらい、装着者の肌に馴染んでフィット性に優れ、はき心地がよいか主観評価してもらった。はき心地によさは、使い捨ておむつが体に馴染むこと、および吸収体の肌触りによって評価した。
【００６９】
主観評価の手順として、まず、現在市販されている使い捨ておむつを装着してもらい、装着直後のはき心地を評価した。その後、椅子に座る、正座をする、しゃがむ、といった姿勢を変化させたときのはき心地を評価した。最後に３分間歩行してもらいその後のはき心地を評価した。
【００７０】
図４は、肌想定ショーツの変位の結果を示し、図５および図６に各使い捨ておむつの変異の結果を示す。図５に示す使い捨ておむつでは、股下部あたりも着用者の動きに追従しているが、図６に示す使い捨ておむつは、股下部あたりは着用者の動きに追従していないことがわかる。また、相関性により、股下部の追従性が悪いとはき心地が悪くなり、図５に示す使い捨ておむつははき心地がよく、図６に示す使い捨ておむつははき心地が悪いと評価された。
【００７１】
なお、図４から図６マーカーの変位は、模様をつけて表現した。なお、図４から図６中、（ａ）はＺ軸方向に対して１０ｍｍ未満の変位、（ｂ）はＺ軸方向に対して１０〜２０ｍｍの変位、（ｃ）はＺ軸方向に対して２０〜３０ｍｍの変位、（ｄ）はＺ軸方向に対して３０〜４０ｍｍの変位、および（ｅ）はＺ軸方向に対して４０ｍｍ以上の変位を示す。
【図面の簡単な説明】
【００７２】
【図１】使い捨ておむつ２の後身頃を第１のカメラ１１および第２のカメラ１２により撮像する状態を説明する平面図である。
【図２】使い捨ておむつ２の後身頃を第１のカメラ１１および第２のカメラ１２により撮像する状態を説明する正面図である。
【図３】肌想定ショーツ２ａにマーカーを配置した様子を示す図である。
【図４】肌想定ショーツ２ａの変位を示す図である。
【図５】使い捨ておむつ２Ａの変位を示す図である。
【図６】使い捨ておむつ２Ｂの変位を示す図である。
【図７】変位測定システムおよびはき心地評価システムの構成図である。
【符号の説明】
【００７３】
１１    第１のカメラ
１２    第２のカメラ
１０    評価用ドール
２      使い捨ておむつ
３      マーカー
４      ＣＰＵ
４１    第１出力部
４２    第２出力部
４３    入力部
５      ディスプレイ
６      メモリ
６２    入力部
６３    出力部
７      データベース
【図１】
2008175575.tif 000003
【図２】
2008175575.tif 000004
【図３】
2008175575.tif 000005
【図４】
2008175575.tif 000006
【図５】
2008175575.tif 000007
【図６】
2008175575.tif 000008
【図７】
2008175575.tif 000009